(57)【要約】【課題】  製造装置の大型化をすることなく、複数枚の小型基板を平面的に並べた大型基板に自発光素子を効率よく形成可能な電気光学装置の製造方法、電気光学装置、および電子機器を提供すること。【解決手段】  複数枚の小型基板２を貼り合わせた有機ＥＬ表示装置１を製造する際、ＴＦＴ１２３、１２４の形成、画素電極１１１の形成など、レーザアニールやフォトリソグラフィ技術などが必要なプロセスについては、小型基板２と大型基板４の貼り合せ工程の前に行い、貼り合わせ工程後、インクジェット法で有機ＥＬ素子を形成する。また、有機ＥＬ素子を形成するまでの間、小型基板２については保護フィルム６で覆っておく。【選択図】  図７
2006047945.tif 000002
【特許請求の範囲】
【請求項１】
マトリクス状に配置された多数の画素領域の各々に画素スイッチング用素子および自発光素子を備えた基板が複数枚、平面的に配列された電気光学装置の製造方法において、
前記画素スイッチング用素子、および前記自発光素子の画素電極が基板の一方面側に形成された小型基板を形成する小型基板形成工程と、
前記小型基板を複数枚、平面的に配列された状態に当該複数枚の小型基板の他方面側を大型基板と貼り合せる貼り合わせ工程と、
この状態で、前記複数枚の小型基板の前記一方面側の所定領域に対してインクジェット法により液状組成物を選択的に塗布して、前記自発光素子の発光機能層を形成する発光機能層形成工程とを有することを特徴とする電気光学装置の製造方法。
【請求項２】
請求項１において、前記貼り合わせ工程では、前記小型基板と前記大型基板を接着剤で全面接着することを特徴とする電気光学装置の製造方法。
【請求項３】
請求項１または２において、前記貼り合わせ工程を行う前に、前記小型基板の複数の基板辺のうち、少なくとも電気光学装置において他の小型基板と隣接する辺をレーザにより切断するレーザ切断工程を行うことを特徴とする電気光学装置の製造方法。
【請求項４】
請求項３において、前記小型基板には、レーザの照射位置を示すアライメントマークが形成されていることを特徴とする電気光学装置の製造方法。
【請求項５】
請求項１ないし４のいずれかにおいて、前記小型基板形成工程の後、前記小型基板の少なくとも前記一方面側に保護フィルムを貼着し、
次に、前記貼り合わせ工程を行った後、前記保護フィルムを前記小型基板の前記一方面側から除去し、しかる後に、前記発光機能層形成工程を行うことを特徴とする電気光学装置の製造方法。
【請求項６】
請求項５において、前記貼り合わせ工程では、前記保護フィルムの側を定盤に向けて前記複数枚の小型基板を配列し、この状態で、前記複数枚の小型基板の前記他方面側と前記大型基板とを貼り合わせることを特徴とする電気光学装置の製造方法。
【請求項７】
請求項６において、前記貼り合わせ工程では、前記定盤上に配列させた前記複数枚の小型基板の前記他方面側に前記大型基板を重ね、
この状態で、流体圧を前記大型基板に加えて当該大型基板を前記定盤に向けて押し付けて、前記複数枚の小型基板の前記他方面側と前記大型基板とを貼り合わせることを特徴とする電気光学装置の製造方法。
【請求項８】
請求項１ないし７のいずれかにおいて、前記貼り合わせ工程では、前記小型基板と前記大型基板との間に、基板間隔を制御する第１の基板間隔制御部材を介在させた状態で前記小型基板と前記大型基板とを貼り合わせることを特徴とする電気光学装置の製造方法。
【請求項９】
請求項８において、前記第１の基板間隔制御部材は、前記小型基板および前記大型基板のうちの一方側に形成された突起からなることを特徴とする電気光学装置の製造方法。
【請求項１０】
請求項９において、前記第１の基板間隔制御部材は、フォトリソグラフィ技術を用いて形成された感光性樹脂からなることを特徴とする電気光学装置の製造方法。
【請求項１１】
請求項９において、前記第１の基板間隔制御部材は、前記小型基板および前記大型基板のうちの一方側に転写、印刷、あるいはインクジェット法により定着させた樹脂組成物からなることを特徴とする電気光学装置の製造方法。
【請求項１２】
請求項９ないし１１のいずれかにおいて、前記第１の基板間隔制御部材を、前記自発光素子の形成領域と平面的に重なる領域を避けた領域に形成することを電気光学装置の製造方法。
【請求項１３】
請求項８において、前記第１の基板間隔制御部材は、前記小型基板と前記大型基板の間に分散させた粒状あるいは棒状のギャップ材であることを特徴とする電気光学装置の製造方法。
【請求項１４】
請求項８ないし１３のいずれかにおいて、前記自発光素子を形成した以降、前記小型基板の前記一方面側に封止基板を貼り合わせる封止工程を行うことを特徴とする電気光学装置の製造方法。
【請求項１５】
請求項１４において、前記封止工程では、前記小型基板と前記封止基板とを封止樹脂で全面接着することを特徴とする電気光学装置の製造方法。
【請求項１６】
請求項１４または１５において、前記封止工程では、前記小型基板と前記封止基板との間に、基板間隔を制御する第２の基板間隔制御部材を介在させた状態で前記小型基板と前記封止基板とを貼り合わせることを特徴とする電気光学装置の製造方法。
【請求項１７】
請求項１６において、前記第２の基板間隔制御部材は、前記小型基板および前記封止基板のうちの一方側に形成された突起からなることを特徴とする電気光学装置の製造方法。
【請求項１８】
請求項１７において、前記第２の基板間隔制御部材は、フォトリソグラフィ技術を用いて形成された感光性樹脂からなることを特徴とする電気光学装置の製造方法。
【請求項１９】
請求項１７において、前記第２の基板間隔制御部材は、前記小型基板および前記大型基板のうちの一方側に転写、印刷、あるいはインクジェット法により定着させた樹脂組成物からなることを特徴とする電気光学装置の製造方法。
【請求項２０】
請求項１７ないし１９のいずれかにおいて、前記第２の基板間隔制御部材を、前記自発光素子の形成領域と平面的に重なる領域を避けた領域に形成することを電気光学装置の製造方法。
【請求項２１】
請求項１６において、前記第２の基板間隔制御部材は、前記小型基板と前記封止基板の間に分散させた粒状あるいは棒状のギャップ材であることを特徴とする電気光学装置の製造方法。
【請求項２２】
請求項１において、前記小型基板形成工程の後、当該小型基板を複数枚、定盤上にワックスにより平面的に並べた状態で固定する固定工程と、
この状態で、前記小型基板の表面を研磨して当該小型基板を薄型化する薄型化工程とを行い、前記薄型化工程を行った後、ワックスを加熱溶融させて前記小型基板を前記定盤上から外すことを特徴とする電気光学装置の製造方法。
【請求項２３】
請求項２２において、前記薄型化工程では、前記小型基板を前記定盤上に前記ワックスにより固定したまま、前記小型基板を研磨して薄型化するラッピング工程と、
当該小型基板の表面を平滑に研磨するポリッシング工程とを連続して行うことを特徴とする電気光学装置の製造方法。
【請求項２４】
請求項２２または２３において、前記固定工程では、前記定盤の上面に形成された凹部内でワックスを加熱溶融させ、溶融した前記ワックスに前記複数枚の小型基板を浸漬するとともに、当該複数枚の小型基板に流体圧を印加して前記定盤に向けて押し付け、
しかる後に、前記ワックスを冷却して固化させて、前記定盤上に前記ワックスにより前記複数枚の小型基板を固定することを特徴とする電気光学装置の製造方法。
【請求項２５】
請求項２２ないし２４のいずれかにおいて、前記定盤上の前記複数枚の小型基板を大型基板と貼り合わせて、当該大型基板上で前記複数枚の小型基板が平面的に配列された貼り合わせ基板とする貼り合わせ工程を行った後、
前記ワックスを加熱溶融させ、当該貼り合わせ基板を前記定盤上から外すことを特徴とする電気光学装置の製造方法。
【請求項２６】
請求項２５において、前記貼り合わせ工程では、前記定盤上の前記複数枚の小型基板に大型基板を重ねた状態で、流体圧を前記大型基板に加えて、当該大型基板を前記定盤に向けて押し付けることを特徴とする電気光学装置の製造方法。
【請求項２７】
請求項１から２６のいずれかにおいて、前記小型基板の一方の面に前記画素スイッチング用素子、および前記自発光素子の画素電極を形成する小型基板形成工程の後、
複数枚の前記小型基板を前記電極面を下にして定盤上に平面的に配列し、ワックスで固定する固定工程、前記複数枚の小型基板の他方の面を研磨する研磨工程、
前記研磨面に大型基板を貼り合わせ貼り合わせ基板を作製する貼り合わせ工程、
前記ワックスを加熱溶融させ前記貼り合わせ基板を前記定盤上から外し、前記複数枚の小型基板からなる前記貼り合わせ基板の一方面側に、前記自発光素子の発光機能層を形成する発光機能層形成工程を経て、
しかる後、前記貼り合わせ基板を用い、前記大型基板上に前記電気光学用基板が複数枚平面的に配列された電気光学装置を製造することを特徴とする電気光学装置の製造方法。
【請求項２８】
請求項２７において、前記貼り合わせ基板を定盤上にワックスにより固定した状態で、前記大型基板の表面を研磨して当該大型基板を薄型化し、
しかる後に、当該ワックスを加熱溶融させて、前記貼り合わせ基板を当該定盤上から外すこと  を特徴とする電気光学装置の製造方法。
【請求項２９】
請求項２７または２８のいずれかにおいて、前記貼り合わせ基板に対して反対側であって、前記小型基板の前記一方面側に封止基板を貼ってモジュールを形成した後、
当該モジュールを定盤上にワックスにより固定した状態で、前記封止基板の表面を研磨して当該封止基板を薄型化し、
しかる後に、当該ワックスを加熱溶融させて前記モジュールを当該定盤上から外すことを特徴とする電気光学装置の製造方法。
【請求項３０】
請求項２９において、前記小型基板は複数の端子を有する基板であって、前記封止基板の薄型化の工程の後、当該封止基板を切断して前記端子を露出させる切断工程を有することを特徴とする電気光学装置の製造方法。
【請求項３１】
請求項３０において、前記切断工程は、前記封止基板をレーザにより切断することを特徴とする電気光学装置の製造方法。
【請求項３２】
請求項１または５のいずれかにおいて、前記小型基板は、前記液状組成物の塗布領域を規定する隔壁を有し、前記保護フィルムは、フィルム基材の一方面側に前記隔壁の高さよりも厚い粘着剤層を備えていることを特徴とする電気光学装置の製造方法。
【請求項３３】
請求項１または５のいずれかにおいて、前記小型基板は、前記液状組成物の塗布領域を規定する隔壁を有し、前記保護フィルムには、フィルム基材の一方面側に、前記液状組成物に対する撥液材層と、前記隔壁の高さよりも薄い粘着剤層とを形成しておき、
前記保護フィルムを除去した際、前記液状組成物の塗布領域の周囲に前記撥液材層を前記小型基板側に転写することを特徴とする電気光学装置の製造方法。
【請求項３４】
請求項１ないし３３のいずれかに規定する方法で製造された電気光学装置。
【請求項３５】
請求項３４に規定する電気光学装置を有することを特徴とする電子機器。
【発明の詳細な説明】
【技術分野】
【０００１】
本発明は、自発光型素子によって多数の画素が構成された電気光学装置の製造方法と、この方法により製造した電気光学装置、およびそれを用いた電子機器に関するものである。
【背景技術】
【０００２】
近年、受光型の液晶表示以外にも薄型、軽量、視野角依存性が無い等の特徴を有する有機エレクトロルミネッセンス（以下、ＥＬと略す）表示が、自発光型電気光学装置として注目されている。このような有機ＥＬ表示装置では、液晶同様マトリクス状に配置された複数の画素の各々に画素スイッチング素子および有機ＥＬ素子を配置した表示基板を用い、各画素のＯＮ・ＯＦＦを制御することによって表示を行う。有機ＥＬ素子は、有機材料を挟む二つの電極と発光に寄与する有機材料から構成される。二つの電極からは、電子とホールが発光材料中に注入されることによって各画素の発光が生じる。すなわち、電極から注入された電子とホールを有機材料の発光中心で再結合させることによって、有機分子を励起状態にし、この後有機分子が励起状態から基底状態へ戻るときに発光を生じさせる。したがって、発光色の違う種々の材料を用いれば、カラー画像を表示することができる。
【０００３】
このような有機ＥＬ表示装置に対して、液晶表示装置と同様に、３０インチを越えるような表示装置が要求されており、その場合には基板も大型化する。このため、画素スイッチング用素子のＴＦＴ（薄膜トランジスタ）を製造するためのラインが大型化する。また、基板を大型化することによって、洗浄工程や成膜工程での歩留まりが低下する。さらには、基板に安価なガラス基板を用いることを目的に、ＴＦＴを低温ポリシリコンＴＦＴで構成しようとすると、アモルファスシリコンをポシリコンに結晶化するためのレーザアニールが不安定となる。
【０００４】
そこで、従来の技術で充分製造可能な大きさの基板を複数枚、平面的に配置して大型の有機ＥＬ表示装置を構成することが提案されている。このような大型化技術には、小型基板上に画素スイッチング用素子、および有機ＥＬ素子を形成してから複数枚の小型基板を平面的に並べる方法と、小型基板上に画素スイッチング用素子を形成してから複数枚の小型基板を平面的に並べ、しかる後、各小型基板上に有機ＥＬ素子を形成する方法とが提案されている。後者の場合、小型基板同士の繋ぎ目が目立たないという利点がある（例えば、特許文献１、２参照）。
【特許文献１】特開２００１−１０２１７１号公報
【特許文献２】特開２００２−２９７０６３号公報
【発明の開示】
【発明が解決しようとする課題】
【０００５】
しかし、特許文献１、２に記載の技術においては、複数枚の小型基板を平面的に並べた状態で有機ＥＬ素子を形成する際、従来どおりの半導体プロセスを利用する必要があり、有機ＥＬ素子を広い領域にわたって形成するための特別の技術が採用されていない。このため、有機ＥＬ素子を形成する際には、製造装置の大型化を避けることができないという問題がある。
【０００６】
また、複数枚の小型基板を平面的に並べて大型の有機ＥＬ表示装置を構成した場合、小型基板の厚さ方向の位置がばらつく、あるいは、小型基板が面の外方向で傾いた場合には、各画素の発光位置がばらついてしまい表示品位が低下するという問題がある。
【０００７】
更には、特許文献１、２に記載の技術のように、複数枚の小型基板を大型基板上に貼り合わせたものでは、その大型基板の厚さ分電気光学装置が厚くなり、また軽量化を図れないという問題点がある。更には、基板を湾曲させた新たな形態の電気光学装置を製造できないという問題点がある。しかし、最初から薄い基板を用いた場合には、製造工程中、基板が割れて歩留まりが低下するという問題点がある。そこで、小型基板に大型基板あるいは封止基板（対向基板）を貼り合わせてパネル状にした後、薄型化することが考えられるが、このような薄型化を化学エッチングで行うと、電気光学装置用基板に形成されている端子もエッチングされて損傷するという問題がある。
【０００８】
以上の問題点を解決するために、本発明の課題は、製造装置を大型化することなく、複数枚の小型基板を平面的に並べた状態で自発光素子を効率よく形成可能な自発光型の電気光学装置の製造方法と、この方法で製造した電気光学装置、およびこの電気光学装置を備えた電子機器を提供することにある。
【０００９】
また、本発明の課題は、複数枚の小型基板を平面的に並べた場合でも、小型基板の厚さ方向の位置にばらつきが発生せず、かつ、小型基板が面の外方向に傾くことのない電気光学装置の製造方法と、この方法で製造した電気光学装置、およびこの電気光学装置を備えた電子機器を提供することにある。
【００１０】
また、本発明の他の課題は、小型基板をその製造工程の途中で効率よく薄型化することが可能な電気光学装置の製造方法と、この方法で製造した電気光学装置、およびそれを備えた電子機器を提供することにある。
【００１１】
また、更なる本発明の課題は、小型基板と対向基板を貼り合わせたパネルの端子を損傷することなく薄型化することのできる電気光学装置の製造方法と、この方法で製造した電気光学装置、およびそれを用いた電子機器を提供することにある。
【課題を解決するための手段】
【００１２】
上記課題を解決するために、本発明では、マトリクス状に配置された多数の画素領域の各々に画素スイッチング用素子および自発光素子を備えた基板が、複数枚、平面的に配列された電気光学装置の製造方法において、前記画素スイッチング用素子、および前記自発光素子の画素電極が基板の一方面側に形成された小型基板を形成する小型基板形成工程と、前記小型基板を複数枚、平面的に配列された状態に当該複数枚の小型基板の他方面側を大型基板と貼り合せる貼り合わせ工程と、この状態において、前記複数枚の小型基板の前記一方面側の所定領域に対してインクジェット法により液状組成物を選択的に塗布して前記自発光素子の発光機能層を形成する発光機能層形成工程とを有することを特徴とする。
【００１３】
本発明では、小型基板の画素スイッチング用素子の形成および自発光素子の画素電極の形成など、レーザアニール、フォトリソグラフィ技術等が必要なプロセスについては、大型基板への貼り合せ工程の前に行う。また、この貼り合わせ工程の後、自発光素子の発光機能層形成に、任意の位置への塗布を容易に行うことのできるインクジェット法を採用する。このため、自発光素子の発光機能層形成を、複数枚の小型基板を平面的に並べた広い領域に実施する際でも、装置の大型化や歩留まりの低下が発生しない。
【００１４】
本発明において、前記貼り合わせ工程では、例えば、前記小型基板と前記大型基板とを接着剤で全面接着する。
【００１５】
本発明において、前記貼り合わせ工程を行う前に、前記小型基板の複数の基板辺のうち、少なくとも前記電気光学装置において、他の小型基板と隣接する辺をレーザにより切断するレーザ切断工程を行うことが好ましい。このような構成にすれば、小型基板同士を正確に接合できるので、大型基板上における小型基板同士の位置精度が向上する。また、インクジェット法により自発光素子の発光機能層を形成する際、小型基板同士の位置精度が高いので、小型基板上の所定位置に高い精度をもって発光機能層を形成することができる。更には、前記小型基板には、切断のためのレーザの照射位置を示すアライメントマークが形成されていることが好ましい。
【００１６】
本発明において、前記小型基板形成工程の後、前記小型基板の少なくとも前記一方面側に保護フィルムを貼着し、次に、前記貼り合わせ工程を行った後、前記保護フィルムを前記小型基板の前記一方面側から除去し、しかる後に、前記発光機能層形成工程を行うことが好ましい。このような構成にすると、貼り合わせ工程の際、小型基板において画素スイッチング素子が形成されている一方面側を異物や損傷から保護することができるので、信頼性を向上させることができる。
【００１７】
本発明において、前記貼り合わせ工程では、前記保護フィルムの側を定盤に向けて前記複数枚の小型基板を配列し、この状態で、前記複数枚の小型基板の前記他方面側と前記大型基板とを貼り合わせることが好ましい。このような構成にすると、小型基板の保護フィルムが形成されている一方面側を基準に大型基板の貼り合わせを行うことができる。従って、インクジェット法により自発光素子の発光機能層を形成する際、インクジェットヘッドから小型基板の一方面側との距離がいずれの小型基板においても一定となり、液滴の飛弾距離のばらつきに起因する発光機能層の形成位置や、輝度のばらつきを防止することができる。
【００１８】
本発明において、前記貼り合わせ工程では、前記定盤上に配列させた前記複数枚の小型基板の前記他方面側に前記大型基板を重ね、この状態で、流体圧を前記大型基板に加えて当該大型基板を前記定盤に向けて押し付けて、前記複数枚の小型基板の前記他方面側と前記大型基板とを貼り合わせることが好ましい。このような構成にすると、大型基板および小型基板に均一な力が加わるので、いずれの小型基板も大型基板に対して同一条件で貼り合せることができる。そのため、電気光学装置を形成した小型基板の厚さ方向における位置ばらつきを防止し、品位の高い画像を表示することができる。
【００１９】
本発明において、前記貼り合わせ工程では、前記小型基板と前記大型基板との間に、基板間隔を制御する第１の基板間隔制御部材を介在させた状態で、前記小型基板と前記大型基板とを貼り合わせることが好ましい。このような構成にすると、小型基板は第１の基板間隔制御部材によって大型基板と厚さ方向の間隔が規定されるので、小型基板の厚さ方向の位置にばらつきが発生せず、かつ、小型基板が面の外方向に傾くことがない。従って、大型基板側から表示光が出射されるボトムエミッション型表示の場合、観察者からみた各画素の発光位置を揃えることができる。そのため、表示にゆがみのない高品位の有機ＥＬ装置を提供できる。また、トップエミッション型およびボトムエミッション型のいずれの表示の場合でも、インクジェット法により自発光素子の発光機能層を形成すれば、インクジェットヘッドから小型基板の一方面側との距離が、いずれの小型基板においても一定であるため、ヘッドからの液滴の飛弾距離のばらつきに起因する発光機能層の形成位置や輝度などのばらつきを防止することができる。従って、本発明は表示品位の向上を図ることができる。
【００２０】
本発明において、前記第１の基板間隔制御部材は、例えば、前記小型基板および前記大型基板のうちの一方側に形成された突起である。この場合、前記第１の基板間隔制御部材は、例えば、フォトリソグラフィ技術を用いて形成された感光性樹脂からなる。また、前記第１の基板間隔制御部材は、前記小型基板および前記大型基板のうちの一方側に転写、印刷あるいはインクジェット法により定着させた樹脂組成物であってもよい。いずれの場合も、前記第１の基板間隔制御部材を、前記自発光素子の形成領域と平面的に重なる領域を避けた領域に形成することが好ましい。このように構成すると、ボトムエミッション型の電気光学装置において、小型基板と大型基板との間に第１の基板間隔制御部材が介在していても、表示光の出射経路には第１の基板間隔制御部材が存在しないので、第１の基板間隔制御部材に起因する表示品位の低下を抑えることができる。
【００２１】
本発明において、前記第１の基板間隔制御部材は、前記小型基板と前記大型基板との間に分散させた粒状あるいは棒状のギャップ材であってもよい。このようなギャップ材は、存在位置の制御ができないので、表示光の出射経路にも存在することになる。従って、ボトムエミッション型である場合、ギャップ材の屈折率は、大型基板や小型基板の屈折率と略等しいことが好ましい。
【００２２】
本発明において、前記自発光素子を形成した以降、前記小型基板の前記一方面側に封止基板を貼り合わせる封止工程を行うことがある。この場合、前記封止工程では、例えば、前記小型基板と前記封止基板とを封止樹脂で全面接着する。
【００２３】
本発明において、前記封止工程では、前記小型基板と前記封止基板との間に、基板間隔を制御する第２の基板間隔制御部材を介在させた状態で前記小型基板と前記封止基板とを貼り合わせることが好ましい。このように構成すると、小型基板と封止基板とを高い間隔位置精度をもって貼り合わせることができる。従って、封止基板の側から表示光が出射されるトップエミッション型表示の場合、観察者側からみた各画素の発光位置を揃えることができ、表示品位の向上を図ることができる。また、トップエミッション型、およびボトムエミッション型のいずれの表示の場合でも、小型基板と封止基板とを高い位置精度で貼り合わせてあれば、封止基板を精度良く切断することができる。すなわち、封止基板の一部をスクライブ装置で切断し、小型基板上の端子形成領域を露出させる工程において、切断を正確かつ容易とする効果を有する。
【００２４】
本発明において、前記第２の基板間隔制御部材は、例えば、前記小型基板および前記封止基板のうちの一方側に形成された突起である。この場合、前記第２の基板間隔制御部材は、フォトリソグラフィ技術を用いて形成された感光性樹脂からなる。また、前記第２の基板間隔制御部材は、前記小型基板および前記大型基板のうちの一方側に転写、印刷あるいはインクジェット法により定着させた樹脂組成物であってもよい。いずれの場合も、前記第２の基板間隔制御部材を、前記自発光素子の形成領域と平面的に重なる領域を避けた領域に形成することが好ましい。このように構成すると、自発光素子は、封止基板からの応力が突起を介して伝わらないので、自発光素子および表示装置の損傷を防止できる。また、ボトムエミッション型の電気光学装置において、小型基板と封止基板との間に第２の基板間隔制御部材が介在していても、表示光の出射経路には第２の基板間隔制御部材が存在しないので、第２の基板間隔制御部材に起因する表示品位の低下を抑えることができる。
【００２５】
本発明において、前記第２の基板間隔制御部材は、前記小型基板と前記封止基板の間に分散された粒状あるいは棒状のギャップ材であってもよい。このようなギャップ材は、存在位置の制御ができないので、表示光の出射経路にも存在することになる。従って、トップエミッション型表示の場合、ギャップ材の屈折率は、封止基板や小型基板の屈折率と略等しいことが好ましい。
【００２６】
更に上記課題を解決するために、本発明では、電気光学物質を保持するための電気光学装置用基板に所定の工程を施した後、当該小型基板を複数枚、定盤上にワックスにより平面的に並べた状態で固定する固定工程と、この状態で、前記小型基板の表面を研磨して当該小型基板を薄型化する薄型化工程とを行い、前記薄型化工程を行った後、ワックスを加熱溶融させて前記小型基板を前記定盤上から外すことを特徴とする。
【００２７】
本発明では、小型基板を薄型化するにあたって、通常の小型基板に所定の工程を施した後薄型化を行う。従って、小型基以下、さらには、５０μｍ以下にまで薄型化し板として通常のガラス硬質基板を用い、これを、例えば、１００μｍた場合でも、製造工程中に小型基板が割れるおそれがない。しかも、複数枚の電気光学装置用基板を一括して研磨するので効率がよい。また、小型基板の薄型化に、化学エッチングではなく機械的研磨を行うので、小型基板表面が荒れることがない。しかも、機械的研磨の場合、小型基板の片面を選択的に研磨できるので、基板上の多数の端子が損傷することもなく、液晶装置のように一対の基板がシール材によって貼り合わされている場合にも、シール材が劣化することはない。さらには、ワックスの溶融・固化・溶融の繰り返しによって電気光学装置用基板を定盤上に固定することも、研磨後の取り外しも容易にできる。また、ワックスによる固定は、固定するための応力が製造途中の部品の一部分に集中することがないので、基板が割れることもない。さらに、ワックスは約８０度の温度で溶融するので、小型基板に液晶やＥＬ材料などの電気光学物質を保持させた後、薄型化の加工をしても電気光学物質が劣化しない。さらには、研磨により複数枚の小型基板の表面が一平面上に揃うので、複数枚の小型基板と大型基板とを容易に、かつ、高い精度で貼り合わせることができる。
【００２８】
本発明の前記薄型化工程では、前記小型基板を前記定盤上に前記ワックスにより固定したまま、前記小型基板を研磨して薄型化するラッピング工程と、当該小型基板の表面を平滑に研磨するポリッシング工程とを連続して行うことが好ましい。
【００２９】
本発明の前記固定工程では、前記定盤の上面に形成された凹部内でワックスを加熱溶融させ、溶融した前記ワックスに前記複数枚の小型基板を浸漬するとともに、当該複数枚の小型基板に流体圧を印加して前記定盤に向けて押し付け、しかる後に、前記ワックスを冷却、固化させて、前記定盤上に対して前記ワックスにより前記複数枚の小型基板を固定することが好ましい。流体圧を印加する方法としては、ヘッドから小型基板の上面に向けて圧縮空気を噴出する方法がある。また、弾性を備えた隔膜を小型基板に被せ、この隔膜によって仕切られた２つの空間のうち、小型基板が配置されている側とは反対側の空間内に流体を供給してもよい。このような構成にすると、小型基板の各々に均一な力をかけることができるので、小型基板を定盤上に正確な位置で固定し、高い精度の研磨を行うことができる。
【００３０】
本発明において、前記定盤上の前記複数枚の小型基板に大型基板を貼り合わせて当該大型基板上で前記複数枚の小型基板が平面的に配列された貼り合わせ基板とする貼り合わせ工程を行った後、前記ワックスを加熱溶融させて当該貼り合わせ基板を前記定盤上から外し、しかる後に、当該貼り合わせ基板を用いて前記大型基板上に前記小型基板が複数枚、平面的に配列された電気光学装置を製造することが好ましい。
【００３１】
本発明の前記貼り合わせ工程では、前記定盤上の前記複数枚の電気光学装置用基板に大型基板を重ねた状態で、流体圧を前記大型基板に加えて当該大型基板を前記定盤に向けて押し付けることが好ましい。それには、ヘッドから大型基板に向けて圧縮空気を噴出する。また、弾性を備えた隔膜を大型基板に被せ、この隔膜によって仕切られた２つの空間のうち、大型基板が配置されている側とは反対側の空間内に空気や液体などの流体を供給してもよい。このように構成すると、大型基板および小型基板に均一な力が加わるので、いずれの小型基板も大型基板に対して同一条件で貼り合わせることができる。それ故、小型基板の厚さ方向における位置ばらつきを防止でき、品位の高い画像を表示することができる。
【００３２】
本発明における前記小型基板は、例えば、一対の基板がシール材によってすでに貼り合わされた液晶装置用の基板であっても良い。また、本発明の電気光学装置用基板は、有機ＥＬ表示装置などの電気光学装置用の基板である。
【００３３】
本発明は、小型基板であって、該小型基板の一方の面に画素スイッチング用素子、および自発光素子の画素電極を形成する小型基板形成工程の後、複数枚の前記小型基板を前記電極面を下にして定盤上に平面的に配列し、その後ワックスで固定する固定工程、前記複数枚の小型基板の他方の面を研磨する研磨工程、前記研磨面に大型基板を貼り合わせ貼り合わせ基板を作製する貼り合わせ工程、前記ワックスを加熱溶融させ前記貼り合わせ基板を前記定盤上から外し、前記複数枚の小型基板からなる前記貼り合わせ基板の一方面（電極）側に前記自発光素子の発光機能層を形成する発光機能層形成工程、しかる後、前記貼り合わせ基板を用い前記大型基板上に前記電気光学用基板が複数枚平面的に配列された電気光学装置を製造する方法である。すなわち、レーザアニールやフォトリソグラフィ技術などが必要な画素スイッチング用素子の形成、および自発光素子の画素電極の形成などについては、大型基板への貼り合わせ工程の前に行い、この貼り合わせ工程の後、自発光素子の発光機能層を形成する。このため、自発光素子の発光機能層を形成する際に、任意の位置への機能材料の塗布を容易に行えるインクジェット法などを採用することができる。このような方法を採用すれば、自発光素子の発光機能層を複数枚の小型基板を平面的に並べた広い領域に形成する場合に、装置の大型化や歩留まりの低下などが発生しない。
【００３４】
本発明は、前記貼り合わせ基板についても定盤上にワックスにより固定した状態で、前記大型基板の表面を研磨して当該大型基板を薄型化し、しかる後に、ワックスを加熱して溶融させて前記貼り合わせ基板を当該定盤上から外すことが好ましい。このように構成すると、電気光学装置の薄型化、軽量化を図ることができる。
【００３５】
本発明は、前記貼り合わせ基板に対して反対側であって、前記小型基板の一方面側に、封止基板を貼ってモジュールを形成した後、当該モジュールにについても定盤上にワックスで固定した状態において前記封止基板の表面を研磨、当該封止基板を薄型化し、しかる後に、ワックスを加熱溶融させて前記モジュールを当該定盤上から外すことが好ましい。このように構成すると、電気光学装置の薄型化、軽量化を図ることができる。
【００３６】
また本発明は、前記電気光学用基板が複数の端子を有する基板であって、前記薄型化の工程の後、封止基板を切断して前記端子を露出させる切断工程を有する。
【００３７】
本発明では、パネルの薄型化を図るにあたって、小型基板と封止基板を貼り合せた後の工程で薄型化する。このため、封止基板としてガラス材を用い、かつ、この封止基板を例えば１００μｍ以下、さらには、５０μｍ以下にまで薄型化した場合でも、製造工程中に対向基板が割れるおそれはない。また、薄型化の方法に化学エッチングではなく、研磨法を用いるので、小型基板に形成されている端子がエッチングされることはない。さらには、研磨の際、端子は封止基板で覆われているので端子が損傷することもない。研磨が終了した後は、ワックスを溶融させるだけでパネルを定盤から取り外すことができ、さらに端子出しは、研磨後の封止基板を切断することによって容易に行える。
【００３８】
本発明において、前記切断工程では、前記封止基板をレーザにより切断することが好ましい。このように構成すると、パネルの状態で封止基板を効率よく切断することができる。
【００３９】
本発明において、前記小型基板は、前記液状組成物の塗布領域を規定する隔壁を有し、前記保護フィルムは、フィルム基材の一方面側に前記隔壁の高さよりも厚い粘着剤層を備えていることが好ましい。このように構成すると、小型基板と保護フィルムとの間への気泡の侵入を防止できる。従って、小型基板に貼った保護フィルムの表面に凹凸が発生しないので、保護フィルムの表面を基準に小型基板と大型基板とを貼り合わせる場合でも、小型基板の一方面側の位置を高い精度で揃えることができる。従って、インクジェット法により、自発光素子の発光機能層を安定して形成することができる。また、大型の電気光学装置を形成した際の各小型基板の厚さ方向における位置ばらつきを防止できるので、品位の高い画像を表示することができる。
【００４０】
本発明において、前記小型基板は、前記液状組成物の塗布領域を規定する隔壁を有し、前記保護フィルムには、フィルム基材の一方面側に、前記液状組成物に対する撥液材層と、前記隔壁の高さよりも薄い粘着剤層とを有し、前記保護フィルムを除去する際に、前記液状組成物の塗布領域の周囲に前記撥液材層を前記小型基板側に転写することが好ましい。このように構成した場合には、小型基板の一方面側に対して、プラズマ処理などの格別な撥液処理を行わなくてもよいので、製造工程の簡素化を図ることができる。
【００４１】
本発明を適用した電気光学装置は、各種の電子機器、特に３０インチを越えるような大型画面を備えた電子機器に用いることが好適である。
【発明を実施するための最良の形態】
【００４２】
以下、図面を参照して、本発明に係る有機ＥＬ表示装置（自発光型電気光学装置）、およびそれを用いた電子機器の実施形態について説明する。なお、参照する各図において、図面上で認識可能な大きさとするために縮尺が各層や各部材ごとに異なる場合がある。
【００４３】
［実施の形態１］
（有機ＥＬ表示装置の全体構成）
図１（Ａ）、（Ｂ）は、本発明に係る電気光学装置の一実施形態であるアクティブマトリクス型の有機ＥＬ表示装置の斜視図、および平面図である。図２は、有機ＥＬ表示装置の電気的構成を示す説明図である。図３は、電気光学装置に形成した多数の画素の一部を模式的に示す平面図である。図４（Ａ）、（Ｂ）は、本発明の実施の形態１に係る有機ＥＬ表示装置の断面図、および画素領域の１つ分の断面構造を拡大して示した断面図である。
【００４４】
図１および図４（Ａ）において、本形態の有機ＥＬ表示装置１は、いわゆるタイリング技術を利用した３０インチ以上の大型表示装置であり、小型基板２（ＴＦＴアレイ基板）が複数枚（本形態では４枚）、平面的に配列された状態で大型基板３に貼り合わされている。すなわち、大型基板３と小型基板２の他方面（下面）側２２は、透明な接着剤３０を介して全面接着されている。また、小型基板２の上面（大型基板３とは反対の側）は封止基板４と貼り合わされている。封止基板４は、水や酸素の浸入を防ぐことによって陰極１２あるいは有機機能層１１０の酸化を防止するものであり、小型基板２の一方面側２１にエポキシ樹脂などの封止樹脂４０を介して全面接着されている。接着剤３０は、小型基板２、大型基板３および封止基板４として用いたガラスと屈折率が略等しいアクリル系接着剤などが用いられる。
【００４５】
大型基板３は、小型基板２の複数枚の大きさよりも大きい。これに対して、封止基板４は、小型基板２の複数枚の大きさよりも小さく、小型基板２の一方面（上面）側２１は、一部が封止基板４の端から張り出している。従って、小型基板２の一方面側２１の端部に形成されている端子形成領域２０に対して、フレキシブル配線基板（図示せず）などにより外部との電気的な接続を行うことができる。
【００４６】
なお、上記小型基板２は、後述する薄型化工程により、例えば、１００μｍ以下、さらには５０μｍ以下にまで薄型化することができる。
【００４７】
図２に、本形態の有機ＥＬ表示装置１の等価回路図を示す。本表示装置の配線は小型基板２上に複数の走査線１３１と、走査線１３１に対して直交する複数の信号線１３２と、この信号線に並列に延びる複数の電源線１３３とから構成される。また、走査線１３１及び信号線１３２の各交点には画素領域１００が形成されている。信号線１３２には、シフトレジスタ、レベルシフタ、ビデオライン及びアナログスイッチを含むデータ側の駆動回路１０３などが接続されている。また、走査線１３１にはシフトレジスタ及びレベルシフタを含む走査側駆動回路１０４が接続されている。
【００４８】
（画素構成）
図２、図３および図４（Ｂ）に示すように、各画素領域１００には、走査線１３１を介して走査信号が供給される画素スイッチング用のＴＦＴ１２３と、このＴＦＴ１２３を介して信号線１３２から供給される画像信号を保持する保持容量１３５と、保持容量１３５によって保持された画像信号が供給される画素駆動用のＴＦＴ１２４と、表示素子１０１が形成されている。
【００４９】
図４（Ｂ）に示すように、上記ＴＦＴ１２３、１２４を形成するために、ガラス基板からなる小型基板２上には、シリコン酸化膜からなる下地保護膜２ｃが形成され、この下地保護膜２ｃ上に低温ポリシリコン膜からなる島状の半導体膜１４１が形成されている。半導体膜１４１にはソース・ドレイン領域１４１ａ、１４１ｂが高濃度リン（Ｐ）イオン打ち込みによって形成され、Ｐが導入されなかった部分がチャネル領域１４１ｃとなっている。下地保護膜２ｃ及び半導体膜１４１の表面にはゲート絶縁膜１４２が形成され、ゲート絶縁膜１４２上にはＡｌ、Ｍｏ、Ｔａ、Ｔｉ、Ｗ等からなるゲート電極１４３（走査線の一部）が形成されている。ゲート電極１４３及びゲート絶縁膜１４２の表面側には、透明な第１層間絶縁膜１１４ａと第２層間絶縁膜１１４ｂとが形成されている。なお、ゲート電極１４３は半導体膜１４１のチャネル領域１４１ｃに対応する位置に設けられている。また、層間絶縁膜１４４ａ、１４４ｂには、半導体膜１４１のソース・ドレイン領域１４１ａ、１４１ｂにそれぞれ接続されるコンタクトホール１４５、１４６が形成されている。第２層間絶縁膜１４４ｂ上には、ＩＴＯ等からなる透明な画素電極１１１が所定の形状に形成されている。画素電極１１１に対しては、コンタクトホール１４５を介してＴＦＴ１２４が接続されている。
【００５０】
さらに画素領域１００には、ＴＦＴ１２４がオン状態にあるとき電源線１３３と接続される画素電極（陽極）１１１と、画素電極１１１と陰極１２との間に挟み込まれた発光機能層１１０（有機機能層）とを備えた有機ＥＬ素子１０１（自発光素子）が形成されている。
【００５１】
有機機能層１１０は、例えば、画素電極１１１上に積層された正孔注入／輸送層１１０ａと、正孔注入／輸送層１１０ａ上に形成された発光層（有機ＥＬ層）１１０ｂとから構成されている。なお、発光層１１０ｂと陰極との間に電子注入／輸送層が形成される場合もある。正孔注入／輸送層１１０ａは、正孔を発光層１１０ｂに注入する機能を有すると共に、正孔を正孔注入／輸送層１１０ａ内部において輸送する機能を有する。発光層１１０ｂでは、正孔注入／輸送層１１０ａから注入された正孔と、陰極１２の側から注入された電子が再結合し、発光が得られる。ここで、多数の画素領域１００は、赤色（Ｒ）、緑色（Ｇ）、青色（Ｂ）の各色に対応しており、このような色の対応は、有機機能層１１０を構成する材料の種類によって規定されている。
【００５２】
陰極１２は、カルシウム層１２ａとアルミニウム層１２ｂとから構成され、小型基板２の端子形成領域を除く略全面に形成されている。アルミニウム層１２ｂは、発光層１１０ｂから発せられた光を小型基板２側に反射させるもので、Ａｌ膜の他、Ａｇ膜、ＡｌとＡｇの積層膜等から構成される場合もある。
【００５３】
本形態の有機ＥＬ表示装置１において、画素領域１００では、画素電極１１１の周縁部を取り囲むように隔壁１１２が形成されている。隔壁１１２は、後述するように、有機機能層１１０を形成する際、インクジェット法（液体吐出法）により吐出、塗布される液状組成物の塗布領域を規定するものであり、その表面張力によって液状組成物が均一な厚さで形成される。本実施形態において、隔壁１１２は、例えば、基板側に位置する無機物隔壁層１１２ａと、無機物隔壁層１１２ａの上層に形成された有機物隔壁層１１２ｂとから構成されている。無機物隔壁層１１２ａは、例えば、ＳｉＯ2、ＴｉＯ2等の無機材料からなる。有機物隔壁層１１２ｂは、アクリル樹脂、ポリイミド樹脂等の耐熱性、耐溶媒性のあるレジストから形成されている。
【００５４】
このように構成した有機ＥＬ表示装置１において、走査線１３１が駆動されてＴＦＴ１２３がオン状態になると、そのときの信号線１３２の電位が保持容量１３５に保持され、この保持容量１３５の状態に応じて駆動用のＴＦＴ１２４の導通状態が制御される。また、駆動用のＴＦＴ１２４がオン状態になったとき、そのチャネルを介して電源線１３３から画素電極１１１に電流が流れ、さらに、有機ＥＬ素子では、有機機能層１１０を通じて陰極１２に電流が流れる。そして、このときの電流量に応じて有機機能層１１０が発光する。ここで、有機ＥＬ表示装置１は、ボトムエミッション型であるため、有機機能層１１０から大型基板３側に発した光は観測者側に出射される一方、有機機能層１１０から大型基板３とは反対側に発した光は、図４（Ａ）、（Ｂ）に矢印Ｌで示すように、陰極１２によって反射されて大型基板３から観測者側に放出される。
【００５５】
なお、画素電極１１１の側に反射層を形成するとともに、陰極１２側を透光性材料で形成すれば、図４（Ａ）、（Ｂ）に矢印Ｌ’で示すように、封止基板４の側から表示光が出射されるトップエミッション型の有機ＥＬ表示装置を構成することができる。
【００５６】
（製造方法）
図５（Ａ）、（Ｂ）は、本発明に係る有機ＥＬ表示装置の製造方法における小型基板形成工程の説明図である。図６（Ａ）、（Ｂ）、（Ｃ）は、本発明に係る有機ＥＬ表示装置の製造方法において小型基板に保護フィルムを貼った状態の説明図である。図７（Ａ）、（Ｂ）、（Ｃ）は、本発明に係る有機ＥＬ表示装置の製造方法における貼り合わせ工程の説明図である。図８（Ａ）、（Ｂ）は、本発明に係る有機ＥＬ表示装置の製造方法における有機機能層形成工程の説明図である。
【００５７】
有機ＥＬ表示装置１を製造するにあたって、本形態の小型基板形成工程は、図５（Ａ）、（Ｂ）に示すように、ＴＦＴ１２３、１２４などの回路素子、有機ＥＬ素子１０１の画素電極１１１、および隔壁１１２を小型基板２上に形成する工程からなる。
【００５８】
次に、小型基板２の一方面側２１および他方面側２２に保護フィルム６、７を貼着した後（保護フィルム貼着工程）、図６（Ｂ）の一点鎖線２０１で示す切断線に沿ってレーザ光を照射して、保護フィルム６、７と共に小型基板２を切断し洗浄する（レーザ切断工程）。これにより、小型基板２の切断面が基板面に対し垂直に調整される。また、小型基板２のレーザ切断は、図１（Ａ）、（Ｂ）に示すように、小型基板２の複数の辺のうち少なくとも他の小型基板と隣接する２辺に対して行うことが良い。さらには、小型基板２の４隅にレーザ照射位置を示すアライメントマークを形成しておくことも良い。保護フィルム６、７は、いわゆるＵＶフィルムと称せられるもので、図６（Ｃ）に示すように、フィルム基板６１、７１と粘着材層６３、７３との間にＵＶ剥離層６２、７２を備えている。
【００５９】
次に、貼り合わせ工程は、図７（Ａ）に示すように、平坦な基準面を備えた定盤８に対して保護フィルム６を下に、定盤８上に複数枚の小型基板４を平面的に配列する。次に、保護フィルム７にＵＶ光を照射して保護フィルム７を剥がす。その際、保護フィルム７は、粘着材層７３も完全に除去される。そして、剥離面を洗浄する。次に、図７（Ｂ）に示すように、小型基板２の他方面（裏面）側２２に、アクリル系などの接着剤３０を塗布した後、小型基板２の他方面側２２に大型基板３を重ね、接着剤３０を硬化させる。その際、矢印Ｆで示すように、大型基板３に対して流体圧を印加して、大型基板３を定盤８に向けて押し付け、小型基板２と大型基板３との密着性を高めるとともに、複数枚の小型基板２の一方面側２１の位置を合わせる。その結果、図７（Ｃ）に示すように、複数枚の小型基板２は、大型基板３に対して接着剤３０を介して固定される。大型基板３に流体圧を印加する方法としては、ヘッドから大型基板３に向けて圧縮空気を噴出する方法がある。また、弾性を備えた隔膜を大型基板３に被せ、この隔膜によって仕切られた２つの空間のうち、大型基板３が配置されている側とは反対側の空間内に空気や液体などの流体を供給する方法でもよい。
【００６０】
次に、保護フィルム６に対してＵＶ光を照射し、図８（Ａ）、（Ｂ）に示すように、保護フィルム６を剥がした後、剥離面を洗浄する。保護フィルム６を剥がす際、粘着材層６３も完全に除去される。
【００６１】
次に、発光機能層形成工程は、図８（Ｂ）に一点鎖線で示すインクジェットヘッド９と小型基板２とを相対移動させながら行う。先ず、小型基板２上の隔壁１１２で囲まれた領域内に正孔注入／輸送層１１０ａを構成する液状組成物を選択的に吐出、塗布した後、熱処理を行って正孔注入／輸送層１１０ａを形成する。同様に、インクジェットヘッド９と小型基板２とを相対移動させながら、小型基板２上の隔壁１１２で囲まれた領域内に向けて、所定色に対応する発光層１１０ｂの液状組成物を吐出、塗布した後、熱処理を行って発光層１１０ｂを形成する。ここで、正孔注入／輸送層１１０ａを形成するための液状組成物は、３，４−ポリエチレンジオキシチオフェン／ポリスチレンスルフォン酸（ＰＥＤＯＴ／ＰＳＳ）、ポリアニリン、ポリピロールなどの導電性高分子、ＭＴＤＡＴＡ、フェニルアミン誘導体、銅フタロシアニンなどの溶液もしくは分散液である。また、発光層１１０ｂを形成するための液状組成物は、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などの溶液もしくは分散液である。
【００６２】
次に図４（Ｂ）に示すように、蒸着法などにより、陰極１２のカルシウム層１２ａ、およびアルミニウム層１２ｂを順次形成する。その際、広い面積に対して選択的にカルシウム層１２ａ、およびアルミニウム層１２ｂを形成することを目的に、端子形成領域などの外周部分を所定の部材で覆った状態で成膜を行う。
【００６３】
次に、封止樹脂４０を介して封止基板４を貼り付ける（封止工程）。それにより、図１（Ａ）、（Ｂ）に示す有機ＥＬ表示装置１が製造される。なお、封止基板４に４枚の小型基板２よりも大きなものを用いる場合には、小型基板２の端子部分２０に対応した外周部分を除く内側の領域のみ、封止樹脂４０によって接着する。その後、封止基板４の外周部分をスクライブ装置を用いて切断し、小型基板２の端子形成領域２０を露出させる。
【００６４】
（本形態の主な効果）
以上説明したように、本形態では、ＴＦＴ１２３、１２４の形成や画素電極１１１の形成など、レーザアニールやフォトリソグラフィ技術が必要なプロセスは、大型基板４への貼り合せ工程の前に行う。また貼り合わせ工程の後、有機ＥＬ素子１０１の発光機能層１１０を形成する手段にインクジェット法を採用するので、任意の位置への材料塗布と成膜を容易に行うことができる。このため、有機ＥＬ素子１０１の発光機能層１１０を、複数枚の小型基板２を平面的に並べた広い領域に形成する場合でも、製造装置の大型化や歩留まりの低下が発生しない。
【００６５】
また、本形態においては、貼り合わせ工程を行う前に、小型基板２の基板辺をレーザによって切断するレーザ加工を行うため切断面を直角にすることができ、有機ＥＬ表示装置１の小型基板２同士を高い位置精度をもって接合することができる。その結果、インクジェット法により発光機能層１１０を形成する際にも、小型基板２上の所定位置に高い位置精度で発光機能層１１０を形成することができる。
【００６６】
さらに、本形態では、小型基板２の一方面側（おもて面）２１に保護フィルム６を貼着した状態で貼り合わせ工程を行うため、貼り合わせ工程で異物の付着や外力によるＴＦＴ１２３、１２４の損傷を防止できる。また、小型基板２の一方面側（おもて面）２１を基準に大型基板３との貼り合わせを行うので、インクジェットヘッド９から複数の小型基板面への距離がいずれの小型基板２においても一定にできる。そのため、インクジェットヘッド９からの液滴の飛弾距離がいずれの小型基板２でも一定となり、飛弾距離のばらつきに起因する発光機能層１１０の形成位置や着弾粒のばらつきを防止することができ、精度の高い成膜をすることができる。
【００６７】
また、小型基板２と大型基板３の貼り合わせ工程では、流体圧を大型基板３に加えて大型基板３を定盤８に押し付けるので、大型基板３および小型基板２に均一な力が加わる。従って、いずれの小型基板２も同一条件で貼り合せることができる。それ故、ＥＬ表示装置１の厚さ方向における小型基板２の位置ばらつきを防止でき、品位の高い画像を表示することができる。
【００６８】
［実施の形態２］
図９（Ａ）、（Ｂ）は、本発明の実施の形態２に係る有機ＥＬ表示装置の断面図、および画素領域の１つ分の断面構造を拡大して示す断面図である。なお、本形態の有機ＥＬ表示装置の基本的な構成は、実施の形態１と同様であるため、共通する機能を有する部分については、同一の符号を付してそれらの説明を省略する。
【００６９】
図９（Ａ）、（Ｂ）において、本形態の有機ＥＬ表示装置１は、実施の形態１と同様、ボトムエミッション型であり、タイリング技術を利用した３０インチ以上の大型表示装置として用いられる。すなわち、本形態の有機ＥＬ表示装置１は、４枚の小型基板２（ＴＦＴアレイ基板）が平面的に配列された状態で、その他方面側（裏面）２２が透明な接着剤３０を介して大型基板３に全面接着されている。また、小型基板２の一方面側（表面）２１には、エポキシ樹脂などの封止樹脂４０によって封止基板４が全面接着されている。ここで、接着剤３０としては、小型基板２および大型基板３に用いたガラスと屈折率が略等しいアクリル系接着剤などが用いられる。本形態において、大型基板３は、小型基板３の複数枚分の大きさよりも大きい。これに対して、封止基板４は、小型基板２の複数枚分よりも小さく、小型基板２の一方面側２１は、一部が封止基板４の端から張り出している。従って、小型基板２の一方面側２１の端部に形成されている端子形成領域２０に対して、フレキシブル配線基板（図示せず）などにより外部との電気的な接続を行うことができる。
【００７０】
このように構成した有機ＥＬ表示装置１において、４枚の小型基板２の厚さ方向の位置がばらついた場合、あるいは小型基板２が面の外方向に傾いた場合には、各画素での発光位置がばらついてしまい、輝度むらが発生するなど、表示品位が低下する。そこで、本形態では、大型基板３と小型基板２との接着面に、小型基板２と大型基板３の基板間隔を制御する第１の基板間隔制御部材３５を形成し、図７（Ａ）、（Ｂ）、（Ｃ）同様の貼り合わせ工程で、小型基板２と大型基板３との間に第１の基板間隔制御部材３５を介在させた状態で両基板を接着する。
【００７１】
本形態において、第１の基板間隔制御部材３５は、大型基板３に形成された突起であり、このような突起は、フォトリソグラフィ技術を用いて形成された柱状の感光性樹脂によって構成することができる。感光性樹脂としてはアクリル樹脂が知られている。また、第１の基板間隔制御部材３５は、大型基板３に転写、印刷、あるいはインクジェット法により定着させた樹脂組成物であってもよい。この場合、樹脂組成物として、粒状あるいは棒状のギャップ材を樹脂に分散させたものを用いれば、所定高さの第１の基板間隔制御部材３５を形成することができる。また、樹脂組成物として、粒状あるいは棒状のギャップ材を速乾性の樹脂に分散させたものを用いれば、大型基板３上で樹脂分が流動しないので、高さ寸法の精度が高い第１の基板間隔制御部材３５を形成することができる。
【００７２】
これらいずれの方法で形成した場合も、第１の基板間隔制御部材３５は大型基板３の所定位置に選択的に形成できる。従って、本形態では、有機ＥＬ素子１０１の形成領域と平面的に重なる領域を避けた領域、例えば、隔壁１１２や各種配線（図３に示す走査線１３１、信号線１３２、電源線１３３）と平面的に重なる領域に形成されている。その他の構成は実施の形態１と同様であるため説明を省略する。
【００７３】
以上説明したように、本形態では、貼り合せ工程において、小型基板２と大型基板３の間に、基板間隔を制御する第１の基板間隔制御部材３５を介在させた状態で小型基板２と大型基板３を貼り合わせる。従って、小型基板２は、第１の基板間隔制御部材３５によって大型基板３の表面を基準に位置間隔が高い精度で規定されるので、小型基板２の厚さ方向の間隔にばらつきが発生せず、かつ、小型基板２が面の外方向に傾くことがない。従って、大型基板３の側から表示光が出射されるボトムエミッション型表示の場合、各画素における発光位置を揃えることができるので、画面のゆがみが発生せず、表示品位の高い表示装置を提供できる。
【００７４】
また、本形態において、第１の基板間隔制御部材３５を、有機ＥＬ素子１０１の形成領域と平面的に重なる領域を避けた領域に形成しているため、本発明によるボトムエミッション型の有機ＥＬ表示装置１は、小型基板２と大型基板３との間に第１の基板間隔制御部材３５が介在していても、表示光を遮ることがない。従って、表示品位の低下を抑えることができる。
【００７５】
なお、本形態では、第１の基板間隔制御部材３５を大型基板３に形成した例を説明したが、小型基板２の方に形成してもよい。また、有機ＥＬ表示装置１がボトムエミッション型であっても、第１の基板間隔制御部材３５の屈折率が、接着剤３０、大型基板３、小型基板２の屈折率と略等しい場合には、有機ＥＬ素子１０１の形成領域と平面的に重なる領域に第１の基板間隔制御部材３５を形成してもよい。
【００７６】
さらに、本形態の構成によれば、大型基板３に対する小型基板２の厚さ方向の位置にばらつきが発生せず、かつ、小型基板２が面の外方向に傾くことがない。従って、ボトムエミッション型およびトップエミッション型のいずれの有機ＥＬ表示装置１に本形態の構成を採用した場合も、インクジェットヘッド９からいずれの小型基板２への液滴の飛弾距離が一定となり、飛弾距離のばらつきに起因する発光機能層１１０の形成位置や着弾粒径のばらつきを防止することができる。そのため、輝度むらが発生しない品位の高い画像を表示することができるという効果を奏する。
【００７７】
［実施の形態３］
図１０（Ａ）、（Ｂ）は、本発明の実施の形態３に係る有機ＥＬ表示装置の断面図、および画素領域の１つ分の断面構造を拡大して示す断面図である。なお、本形態の有機ＥＬ表示装置の基本的な構成は、実施の形態１と同様であるため、共通する機能を有する部分については、同一の符号を付してそれらの説明を省略する。
【００７８】
図１０（Ａ）、（Ｂ）において、本形態の有機ＥＬ表示装置１は、実施の形態１と同様、ボトムエミッション型であり、タイリング技術を利用した３０インチ以上の大型表示装置として用いられる。すなわち、本形態の有機ＥＬ表示装置１は、４枚の小型基板２（ＴＦＴアレイ基板）が平面的に配列された状態で、その他方面側（裏面）２２が透明な接着剤３０を介して大型基板３に全面接着されている。また、小型基板２の一方面側（表面）２１には、エポキシ樹脂などの封止樹脂４０によって封止基板４が全面接着されている。ここで、接着剤３０は、小型基板２および大型基板３に用いたガラスと屈折率が略等しいアクリル系接着剤などが用いられている。本形態において、大型基板３は、小型基板３の複数枚分の大きさよりも大きい。これに対して、封止基板４は、小型基板２の複数枚分よりも小さく、小型基板２の一方面側２１は、一部が封止基板４の端から張り出している。従って、小型基板２の一方面側２１の端部に形成されている端子形成領域２０に、フレキシブル配線基板（図示せず）などにより外部との電気的な接続を行うことができる。
【００７９】
このように構成した有機ＥＬ表示装置１を製造するにあたり、本形態では、図７（Ａ）、（Ｂ）、（Ｃ）で説明した貼り合わせ工程において、小型基板２と大型基板３との間に、基板間隔を制御する第１の基板間隔制御部材３６を介在させ小型基板２と大型基板３とを接着する。
【００８０】
本形態において、第１の基板間隔制御部材３６は、小型基板２と大型基板３との間に配置された粒状あるいは棒状のギャップ材である。このようなギャップ材からなる第１の基板間隔制御部材３６を小型基板２と大型基板３との間に介在させるには、接着剤３０の中に前記ギャップ材を予め分散させておけばよい。または、図７（Ｂ）に示すように配置した４枚の小型基板２の上に前記ギャップ材からなる第１の基板間隔制御部材３６を散布する一方、大型基板３の表面に接着剤３０を塗布し、しかる後に、小型基板２と大型基板３とを貼り合せてもよい。
【００８１】
ここで、前記ギャップ材は第１の基板間隔制御部材３６としてその位置を制御できないので、ギャップ材にはその屈折率が接着剤３０、大型基板３、小型基板２の屈折率と略等しい光学的に同質の材料を用いる。その他の構成は実施の形態１と同様であるため、説明を省略する。
【００８２】
以上説明したように、本形態では、貼り合せ工程において、小型基板２と大型基板３の間に基板間隔を制御する第１の基板間隔制御部材３６を介在させ小型基板２と大型基板３を貼り合わせる。従って、小型基板２は、第１の基板間隔制御部材３６によって大型基板３の表面を基準に位置間隔が規定されるので、小型基板２の厚さ方向の間隔にばらつきが発生せず、かつ、小型基板２が面の外方向に傾くことがない。従って、大型基板３の側から表示光が出射されるボトムエミッション型表示の場合、各画素における発光位置を揃えることができるので、画面のゆがみが発生せず、表示品位の高い表示装置を提供できる。
【００８３】
また、本形態に用いるギャップ材は、その屈折率が接着剤３０、大型基板３、小型基板２の屈折率と略等しい光学的に同質の材料を用いる。この結果、ボトムエミッション型の有機ＥＬ表示装置１において、小型基板２と大型基板３との間にギャップ材が介在していても、表示品位の低下は生じない。
【００８４】
さらに、本形態の構成によれば、大型基板３に対する小型基板２の厚さ方向の位置間隔にばらつきが発生せず、かつ、小型基板２が面の外方向に傾くことがない。従って、インクジェットヘッド９からいずれの小型基板２への液滴の飛弾距離が一定となり、飛弾距離のばらつきに起因する発光機能層１１０の形成位置や着弾粒径のばらつきを防止することができる。そのため、輝度むらが発生しない品位の高い画像を表示することができる。
【００８５】
なお、本形態では、４枚の小型基板２の上にギャップ材を散布し、大型基板３の側に接着剤３０を塗布したが、逆に大型基板２の上にギャップ材を散布し、小型基板２の側に接着剤３０を塗布し、しかる後、小型基板２と大型基板３とを貼り合せてもよい。
【００８６】
なお、有機ＥＬ表示装置１がトップエミッション型の場合には、第１の基板間隔制御部材３６として、屈折率が接着剤３０、大型基板３、小型基板２の屈折率と相違するギャップ材を用いてもよい。
【００８７】
［実施の形態４］
図１１（Ａ）、（Ｂ）は、本発明の実施の形態４に係る有機ＥＬ表示装置の断面図、および画素領域の１つ分の断面構造を拡大して示す断面図である。なお、本形態の有機ＥＬ表示装置の基本的な構成は、実施の形態１と同様であるため、共通する機能を有する部分については、同一の符号を付してそれらの説明を省略する。
【００８８】
図１１（Ａ）、（Ｂ）において、本形態の有機ＥＬ表示装置１は、実施の形態１と同様、ボトムエミッション型であり、タイリング技術を利用した３０インチ以上の大型表示装置として用いられる。すなわち、本形態の有機ＥＬ表示装置１は、４枚の小型基板２（ＴＦＴアレイ基板）が平面的に配列された状態で、その他方面側（裏面）２２が透明な接着剤３０を介して大型基板３に全面接着されている。また、小型基板２の一方面側（表面）２１には、エポキシ樹脂などの封止樹脂４０によって封止基板４が全面接着されている。ここで、接着剤３０は、小型基板２および大型基板３に用いたガラスと屈折率が略等しいアクリル系接着剤などが用いられている。本形態において、大型基板３は、小型基板３の複数枚分の大きさよりも大きい。これに対して、封止基板４は、小型基板２の複数枚分よりも小さく、小型基板２の一方面側２１は、一部が封止基板４の端から張り出している。従って、小型基板２の一方面側２１の端部に形成されている端子形成領域２０に、フレキシブル配線基板（図示せず）などにより外部との電気的な接続を行うことができる。
【００８９】
本形態の有機ＥＬ表示装置１は、実施の形態２と同様、大型基板３と小型基板２との接着面に、小型基板２と大型基板３との基板間隔を制御する第１の基板間隔制御部材３５を形成しておき、図７（Ａ）、（Ｂ）、（Ｃ）で説明した貼り合わせ工程では、小型基板２と大型基板３の間に第１の基板間隔制御部材３５を介在させた状態で接着する。第１の基板間隔制御部材３５は、大型基板３あるいは小型基板２に形成された突起であり、このような突起は、フォトリソグラフィ技術を用いて形成された柱状の感光性樹脂によって構成することができる。また、第１の基板間隔制御部材３５は、大型基板３に転写、印刷、あるいはインクジェット法により定着させた樹脂組成物であってもよい。
【００９０】
さらに本形態では、封止基板４と小型基板２の接着面に、小型基板２と封止基板４の基板間隔を制御する第２の基板間隔制御部材４５を形成しておき、エポキシ樹脂などの封止樹脂４０によって、小型基板２と封止基板４との間に、第２の基板間隔制御部材４５を介在させた状態で両者を接着する。
【００９１】
本形態において、第２の基板間隔制御部材４５は、封止基板４に形成された突起であり、このような突起は、フォトリソグラフィ技術を用いて形成された柱状の感光性樹脂によって構成することができる。また、第２の基板間隔制御部材４５は、封止基板４に転写、印刷、あるいはインクジェット法により定着させた樹脂組成物であってもよい。この場合、樹脂組成物として、粒状あるいは棒状のギャップ材を樹脂に分散させたものを用いれば、所定高さの第２の基板間隔制御部材４５を形成することができる。また、樹脂組成物として、粒状あるいは棒状のギャップ材を速乾性の樹脂に分散させたものを用いれば、封止基板４上で樹脂分が流動しないので、高さ寸法の精度が高い第２の基板間隔制御部材４５を形成することができる。
【００９２】
これらいずれの方法で形成した場合も、第２の基板間隔制御部材４５は封止基板４の所定位置に選択的に形成できる。従って、本形態では、有機ＥＬ素子１０１の形成領域と平面的に重なる領域を避けた領域、例えば、隔壁１１２や各種配線（図３に示す走査線１３１、信号線１３２、電源線１３３）と平面的に重なる領域に形成されている。その他の構成は、実施の形態１と同様であるため、説明を省略する。
【００９３】
以上説明したように、本形態では、実施の形態２と同様、貼り合せ工程において、小型基板２と大型基板３との間の基板間隔を制御する第１の基板間隔制御部材３５を介在させた状態で小型基板２と大型基板３とを貼り合わせる。従って、小型基板２は、第１の基板間隔制御部材３５によって大型基板３を基準に位置間隔が規定されるので、小型基板２の厚さ方向の位置にばらつきが発生せず、かつ、小型基板２が面の外方向に傾くことのない。従って、大型基板３の側から表示光が出射されるボトムエミッション型の場合、各画素における発光位置を揃えることができるので、画面のゆがみが発生せず、表示品位の高い表示装置を提供できる。
【００９４】
また、本形態の構成によれば、大型基板３に対して小型基板２の厚さ方向の間隔にばらつきが発生せず、かつ、小型基板２が面の外方向に傾くことがない。従って、ボトムエミッション型およびトップエミッション型のいずれの有機ＥＬ表示装置１に本形態の構成を採用した場合にも、インクジェットヘッド９からの液滴の飛弾距離がいずれの小型基板２へも一定となり、飛弾距離のばらつきに起因する発光機能層１１０の形成位置や着弾粒径などのばらつきを防止できる。そのため、輝度むらが発生しない品位の高い画像を表示することができるという実施の形態２と同様な効果を有する。
【００９５】
また、トップエミッション型の有機ＥＬ表示装置１に本形態の構成を採用すれば、小型基板２と封止基板４との間に第２の基板間隔制御部材４５を介在させた状態で両者を接着するため、４枚の小型基板２は、封止基板４に対して高い位置精度で貼り合わされる。従って、各画素における発光位置を揃えることができるので、表示品位の向上を図ることができる。しかも、第２の基板間隔制御部材４５を、有機ＥＬ素子１０１の形成領域と平面的に重なる領域を避けた領域に形成するため、トップエミッション型の有機ＥＬ表示装置１において、小型基板２と大型基板３の間に第２の基板間隔制御部材４５が介在していても、表示光を遮ることがない。従って、表示品位の低下を抑えることができる。
【００９６】
さらには、封止基板４の端部をスクライブ装置等を用いて切断し、小型基板２上の端子領域を露出させる際に、小型基板２と封止基板４とが高い位置精度をもって貼り合わせてあるので、封止基板４を正確に切断することができる。
【００９７】
さらにまた、第２の基板間隔制御部材４５を、有機ＥＬ素子１０１の形成領域と平面的に重なる領域を避けて形成しているため、小型基板２と封止基板４との間に第２の基板間隔制御部材４５が介在していても、封止基板４からの応力が第２の基板間隔制御部材４５を介して有機ＥＬ素子１０１に加わらない。従って、有機ＥＬ素子１０１が損傷しないので、有機ＥＬ表示装置１の信頼性を向上することができる。
【００９８】
なお、本形態では、実施の形態２と同様、小型基板２と大型基板３との間に突起状の第１の基板間隔制御部材３５を介在させたが、実施の形態３で説明した粒状、棒状のギャップ材を用いた第１の基板間隔制御部材３６を介在させてもよい。
【００９９】
［実施の形態５］
図１２（Ａ）、（Ｂ）は、本発明の実施の形態５に係る有機ＥＬ表示装置の断面図、および画素領域の１つ分の断面構造を拡大して示す断面図である。なお、本形態の有機ＥＬ表示装置の基本的な構成は、実施の形態１と同様であるため、共通する機能を有する部分については、同一の符号を付してそれらの説明を省略する。
【０１００】
図１２（Ａ）、（Ｂ）において、本形態の有機ＥＬ表示装置１は、実施の形態１と同様、ボトムエミッション型であり、タイリング技術を利用した３０インチ以上の大型表示装置として用いられる。すなわち、本形態の有機ＥＬ表示装置１は、４枚の小型基板２（ＴＦＴアレイ基板）が平面的に配列された状態で、その他方面側２２が透明な接着剤３０を介して大型基板３に全面接着されている。また、小型基板２の一方面側（おもて）２１には、エポキシ樹脂などの封止樹脂４０によって封止基板４が全面接着されている。ここで、接着剤３０としては、小型基板２および大型基板３として用いたガラスと屈折率が略等しいアクリル系接着剤などが用いられている。本形態において、大型基板３は、小型基板３の複数枚分の大きさよりも大きい。これに対して、封止基板４は、小型基板２の複数枚分よりも小さく、小型基板２の一方面側２１は、一部が封止基板４の端から張り出している。従って、小型基板２の一方面側２１の端部に形成されている端子形成領域２０に対して、フレキシブル配線基板（図示せず）などにより外部との電気的な接続を行うことができる。
【０１０１】
本形態の有機ＥＬ表示装置１では、実施の形態２と同様、大型基板３と小型基板２の接着面に対して、小型基板２と大型基板３との基板間隔を制御する第１の基板間隔制御部材３５を形成しておき、図７（Ａ）、（Ｂ）、（Ｃ）同様の貼り合わせ工程では、小型基板２と大型基板３との間に第１の基板間隔制御部材３５を介在させた状態で両基板を接着する。このような第１の基板間隔制御部材３５は、大型基板３に形成された突起であり、このような突起は、例えば、フォトリソグラフィ技術を用いて形成された柱状の感光性樹脂によって構成することができる。また、第１の基板間隔制御部材３５は、大型基板３に転写、印刷、あるいはインクジェット法により定着させた樹脂組成物であってもよい。
【０１０２】
また、本形態では、小型基板２と封止基板４との間に基板間隔を制御する第２の基板間隔制御部材４６を配置しておき、エポキシ樹脂などの封止樹脂４０によって、この第２の基板間隔制御部材４６を介在させたまま両者を接着する。
【０１０３】
本形態では、第２の基板間隔制御部材４６は、小型基板２と封止基板４の間に配置された粒状あるいは棒状のギャップ材である。このようなギャップ材からなる第２の基板間隔制御部材４６を小型基板２と封止基板４との間に介在させるには、封止樹脂４０の中にギャップ材を分散させておく方法がある。また、封止基板４を貼り合せる封止工程で、４枚の小型基板２の上にギャップ材を散布し、また一方の封止基板４に封止樹脂４０を塗布し、しかる後に、小型基板２と封止基板４とを貼り合せてもよい。さらにはその逆に、封止基板４にギャップ材を撒き、小型基板２側に封止樹脂を塗布して接着しても良い。その他の構成は、実施の形態１と同様であるため、説明を省略する。
【０１０４】
以上説明したように、本形態では、実施の形態２と同様、貼り合せ工程において、小型基板２と大型基板３の基板間隔を制御する第１の基板間隔制御部材３５を介在させた状態で小型基板２と大型基板３とを貼り合わせる。従って、小型基板２は、第１の基板間隔制御部材３５によって大型基板３を基準に位置間隔が規定されるので、小型基板２の厚さ方向の間隔にばらつきが発生せず、かつ、小型基板２が面の外方向に傾くことがない。従って、大型基板３の側から表示光が出射されるボトムエミッション型の場合、各画素における発光位置を揃えることができるので、画面のゆがみの無い表示品位の高い表示装置を提供できる。
【０１０５】
また、本形態の構成によれば、大型基板３に対して小型基板２の厚さ方向の位置にばらつきが発生せず、かつ、小型基板２が面の外方向に傾くことがない。従って、ボトムエミッション型およびトップエミッション型表示のいずれの有機ＥＬ表示装置１に本形態の構成を採用した場合も、インクジェットヘッド９からいずれの小型基板２への液滴の飛弾距離が一定であるので、飛弾距離のばらつきに起因する発光機能層１１０の形成位置や着弾粒径のばらつきを防止することができる。そのため、輝度むらが発生しない品位の高い画像を表示することができるという効果を奏する。
【０１０６】
さらに、トップエミッション型の有機ＥＬ表示装置１に本形態の構成を採用すれば、小型基板２と封止基板４の間に第２の基板間隔制御部材４６を介在させた状態で両者を接着するため、４枚の小型基板２は、封止基板４に対して高い間隔精度で貼り合わされている。従って、各画素における発光位置を揃えることができるので、画面にゆがみの無い表示品位の高い画像を得ることができる。但し、ギャップ材を用いた基板間隔制御では、その位置を正確に制御できないので、ギャップ材の屈折率が封止樹脂４０、封止基板４、小型基板２の屈折率と略等しい材料を用いれば、ギャップ材に起因する表示品位の低下を防止できる。
【０１０７】
さらには、封止基板４の端部をスクライブ装置等を用いて切断し、小型基板２上の端子領域を露出させる際に、小型基板２と封止基板４とが高い位置精度をもって貼り合わせてあるので、封止基板４を正確に切断することができる。
【０１０８】
なお、本形態では、実施の形態２と同様、小型基板２と大型基板３との間に突起状の第１の基板間隔制御部材３５を介在させたが、実施の形態３で説明した粒状あるいは棒状の第１の基板間隔制御部材３６を用いてもよい。
【０１０９】
［実施の形態６］
図１３（Ａ）、（Ｂ）は、本発明の実施の形態６に係る有機ＥＬ表示装置の製造方法を用い、小型基板の作製を終了した段階の説明図である。図１４（Ａ）〜（Ｄ）および図１５（Ａ）〜（Ｆ）は、図１に示す有機ＥＬ表示装置の製造方法を示す工程断面図である。なお、本形態の有機ＥＬ表示装置の基本的な構成は、実施の形態１と同様であるため、共通する機能を有する部分については、同一の符号を付してそれらの説明を省略する。
【０１１０】
有機ＥＬ表示装置１を製造するにあたって、本形態では、図１３（Ａ）、（Ｂ）に示すように、先ずＴＦＴ１２３、１２４などの回路素子、有機ＥＬ素子１０１の画素電極１１１、および隔壁１１２等を、小型基板２上に形成する。この工程では、電気光学装置用基板２は、薄型化する前の厚いガラス基板２’であり、その厚さが例えば０．５ｍｍある。
【０１１１】
次に、図１３（Ａ）、（Ｂ）および図１４（Ａ）に示すように、小型基板２の一方面側（おもて）２１に保護フィルム６を貼着する（保護フィルム貼着工程）。保護フィルム６は、いわゆるＵＶフィルムと称せられるもので、図１３（Ｂ）に示すように、フィルム基板６１と粘着材層６３との間にＵＶ剥離層６２を備えている。保護フィルム６は、小型基板２の一方面側２１の端子２０が形成されている領域を除くように貼ってもよく、小型基板２の全面を覆ってもよい。また、小型基板２については、レーザ光を照射して、保護フィルム６とともに切断し、基板の外形を調整することがよい。小型基板２のレーザ切断は、基板の複数の辺のうち、少なくとも、図１（Ａ）、（Ｂ）に示すように配列した状態で他の小型基板２と隣接する辺に対して行う。また、基板２の４隅にレーザの照射位置を示すアライメントマークを形成しておくことが好ましい。このようなレーザ切断を行うと、有機ＥＬ表示装置１を組み立てた状態で小型基板２同士を高い位置精度をもって接合できる。また、後述する研磨時にチップが発生することを防止できる。
【０１１２】
次に、図１４（Ｃ）に示す研磨装置２００において、小型基板２の薄型化を行う。それには、まず、基板２を複数枚、研磨装置２００の定盤２１０上に並べて固定する（固定工程）。この研磨装置２００は、被研磨基板が配置される部分に凹部２２０が形成されたセラミックス製の定盤２１０を備えており、この凹部２２０内には、ワックス２５０が充填されている。従って、定盤を通して間接的に、あるいは、直接的にワックス２５０を約摂氏８０度の温度まで加熱して溶融させた後、溶融したワックス２５０の表面に、基板の一方面側２１を向けて複数枚平面的に配置する。この後、配列した基板２に流体圧をかけ凹部２２０に押し付ける。それには、ヘッドから基板２に向けて圧縮空気を噴出するか、あるいは、弾性を備えた隔膜を基板２に被せ、この隔膜によって仕切られた２つの空間のうち、基板２が配置されている側とは反対の空間に、空気や液体などの流体を供給すればよい。このようにすると小型基板２の各々に均一な力をかけることができる。
【０１１３】
次に、溶融しているワックス２５０を摂氏２５度の温度まで自然冷却、あるいは強制冷却し、ワックス２５０を固化させる。その結果、図１４（Ｃ）に示すように、基板２は、他方面側２２を上に向けて、定盤２１０の凹部２２０にワックス２５０で固定される。
【０１１４】
次に、基板の薄型化を行う。それには、研磨用ヘッド２８０を基板２の上方に配置し、ヘッド２８０を軸線周りに回転させると同時に、ヘッド２８０とは異なる速度で定盤２１０も回転させる。また、研磨用ヘッド２８０と基板２との間には砥粒の懸濁液を供給し、同時に、矢印Ｐで示す方向に約１５０ｇ／ｃｍ2程度の荷重をかける。これによって、基板２の表面を約７．２μｍ／分の速度で研磨し、始めの厚さ０．５ｍｍから２５μｍの厚さにまで薄型化する（ラッピング工程）。
【０１１５】
次に、ポリッシング工程は、図１４（Ｄ）に示すように、研磨用ヘッド２８０の下部に柔らかい研磨布２８１を取り付け、研磨用ヘッド２８０と基板２との間に砥粒の懸濁液を必要に応じて供給し、同時に矢印Ｐで示す方向に約５０ｇ／ｃｍ2程度の荷重をかけ、先にラッピングした面を平滑化する。それにより小型基板２は、ガラスと同等の光透過率を有することになる。
【０１１６】
次に、図１５（Ａ）に示すように、小型基板２の他方面側（研磨面）２２を洗浄する。次に、図１５（Ｂ）に示すように、小型基板２の他方面側２２に接着剤３０を塗布した後、図１５（Ｃ）に示すように小型基板２の他方面側２２に大型基板３を重ね、接着剤３０を硬化させる。その際も、大型基板３に対して流体圧を印加して大型基板３を定盤２１０方向に押し付け、両基板の密着性を高める。大型基板３に対して流体圧を印加する方法は、例えば、ヘッドから大型基板３に向けて圧縮空気を噴出する。あるいは、弾性を備えた隔膜を大型基板３に被せ、この隔膜によって仕切られた２つの空間のうち、大型基板３が配置されている側とは反対側の空間に空気や液体などの流体を供給してもよい。
【０１１７】
このようにして、定盤２１０上で複数枚の小型基板２を大型基板３に貼り合わせ貼り合わせ基板１０とした後、固化していたワックス２５０を定盤２１０を介して間接的に、あるいは直接的に、摂氏約８０度の温度にまで加熱して溶融させ、図１５（Ｄ）に示すように小型基板２（貼り合わせ基板１０）を定盤２１０の凹部２２０から取り外す。
【０１１８】
次に、保護フィルム６にＵＶ光を照射し、図１５（Ｅ）に示すように保護フィルム６を剥がす。この時、粘着材層６３も基板２の一方面側２１から完全に除去される。次に、貼り合わせ基板１０の洗浄を行う。
【０１１９】
このようにして、図８（Ａ）に示す貼り合わせ基板１０を作製した後、発光機能層の形成を行う。以下の工程は、本発明の実施の形態１と同様であるので、ここでは説明を省略する。このようにして作製された有機ＥＬ発光機能層を有する基板１０を、図１５（Ｆ）に示すように封止樹脂４０を介して封止基板４に貼り付けモジュール１’を構成する。このモジュール１’を用いて図１（Ａ）、（Ｂ）に示す有機ＥＬ表示装置１を製造する。
【０１２０】
なお、大型基板３、封止基板４についてもレーザを照射して切断し、所定のサイズに調整することができる。また、図１５（Ｅ）、（Ｆ）に示す状態にように、複数枚の小型基板２と大型基板３を貼り合わせて貼り合わせ基板１０とした後、あるいは、電気光学装置用基板２を挟みこむように大型基板３および封止基板４０を積層してモジュール１’とした後、封止基板４あるいは大型基板３に研磨を施し薄型化してもよい。この場合も、図１４（Ｂ）、（Ｃ）、（Ｄ）に示す研磨装置２００を用い、貼り合わせ基板１０あるいはモジュール１’をワックス２５０により定盤２１０に固定し、しかる後、前記したラッピング工程およびポリッシング工程を行えばよい。
【０１２１】
（本形態の主な効果）
以上説明したように、本形態では、小型基板２に所定の工程を施した後薄型化するため、薄型化の前の工程までは厚い小型基板２のまま取り扱える。このため、小型基板２にガラスなどの硬質基板を用い、かつ、この基板を例えば１００μｍ以下、さらには、５０μｍ以下にまで薄型化した場合でも、基板が割れるおそれがない。しかも、複数枚の小型基板２を一括して研磨するので効率がよい。
【０１２２】
また、小型基板２の薄型化を、化学エッチングではなく機械的研磨により行うので、小型基板２の表面が荒れることがない。しかも、小型基板２に形成された多数の端子２０がある場合でも、反対側を選択的に研磨できるので端子２０が損傷することがない。
【０１２３】
さらに、溶融していたワックスを固化させるだけで小型基板２を定盤２１０上に固定することができ、研磨が終了した後はワックス２５０を溶融させるだけで電気光学装置用基板２を定盤２１０から取り外すことができる。しかも、ワックス２５０による固定であれば、固定するための応力が電気光学装置２の一部分に集中することがないので基板が割れることもない。
【０１２４】
さらに、研磨により複数枚の小型基板２の表面が揃うので定盤２１０上で複数枚の小型基板２と大型基板３とを容易に、かつ、高い精度で貼り合わせることができる。
【０１２５】
また、本形態では、ＴＦＴ１２３、１２４の形成、画素電極１１１の形成など、レーザアニールやフォトリソグラフィ技術が必要なプロセスについては、大型基板４への貼り合わせ工程の前に行い、その後有機ＥＬ素子１０１の発光機能層形成には、任意の位置への塗布を容易に行うことのできるインクジェット法を採用できる。このため、発光機能層１１０を複数枚の小型基板２を平面的に並べた広い領域に形成する場合でも、製造装置の大型化や歩留まりの低下が発生しない。
【０１２６】
また、本形態においては、貼り合わせ工程を行う前に小型基板２の基板辺をレーザにより切断するため、有機ＥＬ表示装置１を組み立てた状態で小型基板２同士を高い位置精度をもって接合できる。従って、インクジェット法により発光機能層１１０を形成する際、小型基板２上の所定位置に高い精度をもって発光機能層１１０を形成することができる。
【０１２７】
さらに、本形態では、小型基板２の一方面側２１に保護フィルム６を貼着した状態で貼り合わせ工程を行うため、薄型化工程や貼り合わせ工程の際、異物の付着や外力によるＴＦＴ１２３、１２４などの損傷を防止できる。また、異物の付着や損傷などが発生しない。
【０１２８】
また、小型基板２の保護フィルム６が形成されている面２１を基準に大型基板３との貼り合わせを行うので、インクジェット法により発光機能層１１０を形成する際、インクジェットヘッド９から液滴の飛弾距離がいずれの小型基板２でも一定であるので、飛弾距離のばらつきに起因する発光機能層１１０の形成位置や粒径などのばらつきを防止することができ、品位の高い画像を表示することができる。
【０１２９】
また、貼り合わせ工程では、流体圧を大型基板３に加えて大型基板３を定盤２１０に押し付け、小型基板２と大型基板３とを貼り合わせるので、大型基板３および小型基板２に均一な力が加わわり、いずれの小型基板２も同一条件で貼り合わせることができる。そのため、ＥＬ表示装置１を形成した小型基板２の厚さ方向における位置ばらつきなどを防止し、画面にゆがみの無い品位の高い画像を表示することができる。
【０１３０】
［実施の形態７］
図１６（Ａ）、（Ｂ）は、本発明の実施の形態７に係る有機ＥＬ表示装置の製造方法を用い、小型基板の作製を終了した段階の説明図である。図１７（Ａ）〜（Ｅ）は、図１に示す有機ＥＬ表示装置の製造工程のうち、パネルを薄型化する工程を示す工程断面図である。図１８（Ａ）〜（Ｄ）は、図１に示す有機ＥＬ表示装置の製造工程のうち、パネルを薄型化するとともに端子にフレキシブル配線基板を接続する工程を示す説明図である。なお、本形態の有機ＥＬ表示装置の基本的な構成は、実施の形態１と同様であるため、共通する機能を有する部分については、同一の符号を付してそれらの説明を省略する。
【０１３１】
有機ＥＬ表示装置１を製造するにあたって、本形態では、図１６（Ａ）、（Ｂ）に示すように、先ずＴＦＴ１２３、１２４などの回路素子、有機ＥＬ素子１０１の画素電極１１１、および隔壁１１２等を小型基板２上に形成する。この工程では、電気光学装置用基板２は薄型化する前の厚いガラス基板２’であり、その厚さが例えば０．５ｍｍある。
【０１３２】
次に、図１６（Ａ）、（Ｂ）に示すように、小型基板２の一方面側（おもて）２１に保護フィルム６を貼着する（保護フィルム貼着工程）。本形態では、保護フィルム６は、小型基板２の全面を覆うように貼られている。また、小型基板２はレーザ光を照射して保護フィルム６とともに切断し、基板の外形を調整することがよい。小型基板２のレーザ切断は、基板の複数の辺のうち少なくとも図１（Ａ）、（Ｂ）に示した配列の状態で他の小型基板２と隣接する辺に対して行う。
【０１３３】
次に、図１４（Ｃ）に示す研磨装置２００を用いて小型基板２’の薄型化を行う。薄型化工程は実施形態６の図１４に従う。薄型化の終わった複数枚の小型基板２は、実施形態６の図１５の工程により大型基板３に張り合わされ、しかる後、実施形態１の発光機能層の形成を行う。これらの製造工程および製造方法は、本発明の実施の形態６および１と同様であり、詳細は既に説明されているのでここでは説明を割愛する。
【０１３４】
次に、図１７（Ａ）に示すように複数の小型基板２と同等、あるいはそれよりも大きな封止基板４を、封止樹脂４０を介して小型基板２の一方面側２１に貼り付けパネル１’を形成する。この段階では小型基板２に形成されている端子２０は、封止基板４で覆われた状態にある。
【０１３５】
次に、図１７（Ｂ）の研磨装置２００においてパネル１’に対する薄型化を行う。パネル１’は、まず図１７（Ｂ）に示すように、封止基板４を上向きにして研磨装置２００の定盤２１０上に固定する（固定工程）。この工程は定盤２１０を介して間接的、あるいは直接的に、ワックス２５０を摂氏約８０度の温度にまで加熱して溶融させた後、溶融したワックス２５０の表面に大型基板３を下にパネル１’を配置し、パネル１’に流体圧を印加して定盤の凹部２２０に押し付ける。その際、ヘッドからパネル１’に向けて圧縮空気を噴出する。または、弾性を備えた隔膜をパネル１’に被せ、この隔膜によって仕切られた２つの空間のうちパネル１’が配置されている側とは反対側の空間に空気や液体などの流体を供給すればよい。このようにすると、小型基板２の各々に均一な力をかけることができる。
【０１３６】
次に、溶融しているワックス２５０を摂氏２５度の温度にまで自然冷却、あるいは強制冷却し、ワックス２５０を固化させる。
【０１３７】
次に、パネルの薄型化を行う。それには、研磨用ヘッド２８０をパネル１’の上方に配置し、そこで研磨用ヘッド２８０を軸線周りに回転させ、かつ、研磨用ヘッド２８０と異なる速度で定盤２１０も回転させる。この状態で、研磨用ヘッド２８０とパネル１’との間に砥粒の懸濁液を供給し、かつ、矢印Ｐで示す方向に約１５０ｇ／ｃｍ2程度の荷重をかける。これによって基板２の表面を約７．２μｍ／分の速度で研磨し、始めの厚さ０．５ｍｍから２５μｍの厚さにまで薄型化できる（ラッピング工程）。
【０１３８】
次に、ポリッシング工程は、図１７（Ｃ）に示すように、研磨用ヘッド２８０の下部に柔らかい研磨布２８１を取り付け、研磨用ヘッド２８０とパネル１’との間に砥粒の懸濁液を必要に応じて供給し、同時に矢印Ｐで示す方向に約５０ｇ／ｃｍ2程度の荷重をかけ、先にラッピングした面を平滑化する。それにより、小型基板２は、ガラスと同等の光透過率を有することになる。
【０１３９】
しかる後に、固化していたワックス２５０を定盤２１０を介して間接的に、あるいは直接的に摂氏約８０度の温度にまで加熱して溶融させ、パネル１’を定盤２１０から取り外す。
【０１４０】
また、大型基板３についても薄型化する場合には、図１７（Ｂ）、（Ｃ）と同様に図１７（Ｄ）に示すように、大型基板３を上向きにしてパネル１’を研磨装置２００の定盤２１０上に固定した後、大型基板３の表面を研磨して大型基板３を０．５ｍｍから２５μｍの厚さにまで薄型化する（ラッピング工程）。次に、図１７（Ｅ）に示すように大型基板３の表面を平滑化し（ポリッシング工程）、しかる後パネル１’を定盤２１０から取り外す。（図１８（Ａ））
【０１４１】
次に、パネル１’を洗浄した後、図１８（Ｂ）に示すように大型基板３にレーザを照射して端部を切断し、大型基板３を所定のサイズに調整する。
【０１４２】
次に、図１８（Ｃ）に示すように封止基板４にレーザを照射して端子２０の上方部分を切断し、封止基板４を所定のサイズに調整する。その結果、小型基板２に形成されていた端子２０が露出する。そして、図１８（Ｄ）に示すように端子２０に、ＩＣ７０がＣＯＦ実装されたフレキシブル配線基板７を接続する。
【０１４３】
（本形態の主な効果）
以上説明したように、本発明では、パネルの薄型化を図るにあたって小型基板と封止基板を貼り合せた後の工程で薄型化する。このため封止基板としてガラス材を用い、かつ、この封止基板を例えば１００μｍ以下、さらには、５０μｍ以下にまで薄型化した場合でも、製造工程中に対向基板が割れるおそれはない。また、薄型化の方法に化学エッチングではなく研磨法を用いるので、小型基板に形成されている端子がエッチングされることはない。さらには研磨の際、端子は封止基板で覆われているので端子が損傷することもない。さらに端子出しは、研磨後の封止基板を切断することによって容易に行える。
【０１４４】
また、上記固定工程ではパネル１’に流体圧を加えて定盤２１０に固定するため、パネル１’全体に均一な力をかけることができる。従って、パネル１’を適正な姿勢で定盤２１０上に固定することができ、高い精度での研磨を行うことができる。
【０１４５】
さらにまた研磨の際、パネル１’をワックス２５０で定盤２１０上に固定するので、研磨が終了した後、ワックス２５０を溶融させるだけでパネル１’を定盤２１０から取り外すことができる。しかも、ワックス２５０による固定であれば、固定するための応力がパネル１’の一部分に集中することがないのでパネル１’が割れることもない。また、ワックス２５０であれば約８０度の温度で溶融するので、たとえパネル１’が有機ＥＬ材料を保持していたとしても有機ＥＬ材料が劣化しない。
【０１４６】
［実施の形態１の変形例］
図１９に示すように、図６、図１３、図１６に示す工程で用いる保護フィルム６として、フィルム基材６１に隔壁１１２の高さよりも厚い粘着剤層６３を用いれば、図１９に示すように、保護フィルム６を小型基板２の一方面側２１に貼った際、小型基板２と保護フィルム６との間への気泡の侵入を防止できる。従って、保護フィルム６の表面の気泡に起因する凹凸が発生しないので、小型基板２と大型基板３を貼り合わせる際に、小型基板２の一方面側２１の位置を高い精度で揃えることができる。その結果、インクジェット法により、発光機能層１１０を安定して形成することができるとともに、有機ＥＬ表示装置１を構成した状態において小型基板２の厚さ方向における位置（高さ）ばらつきを防止できる。従って、本発明に夜表示装置は、品位の高い画像を表示することができる。
【０１４７】
また、図２０（Ａ）に示すように、保護フィルム６に、発光機能層１１０を形成するための液状組成物に対する撥液材層６４を追加し、かつ、粘着剤層６３を隔壁１１２の高さよりも薄くしておけば、保護フィルム６を除去した後、図２０（Ｂ）に示すように、液状組成物の塗布領域の周囲、すなわち、隔壁１１２の上端部に撥液材層６４を転写することができる。従って、小型基板２の一方面側２１に対して、フッ素化合物を用いたプラズマ処理などの格別な撥液処理を行わなくてもよいので、製造工程の簡素化を図ることができる。
【０１４８】
なお、上記形態では有機ＥＬ表示装置１を例にとったが、他の自発光型素子を用いた自発光型電気光学装置の製造に本発明を適用してもよい。
【０１４９】
［電子機器への適用］
本発明を適用した電気光学装置は、３０インチを越えるような大画面を備えた電子機器に搭載されることが最も好ましい。しかし、同様の製造方法あるいは技術思想によった大小の表示装置に適用できることは云うまでも無い。
【図面の簡単な説明】
【０１５０】
【図１】（Ａ）、（Ｂ）は、本発明に係る電気光学装置の一実施形態であるアクティブマトリクス型の有機ＥＬ表示装置の斜視図、および平面図である。
【図２】有機ＥＬ表示装置の電気的構成を示す説明図である。
【図３】電気光学装置に形成した多数の画素の一部を模式的に示す平面図である。
【図４】（Ａ）、（Ｂ）は、本発明の実施の形態１に係る有機ＥＬ表示装置の断面図、および画素領域の１つ分の断面構造を拡大して示す断面図である。
【図５】（Ａ）、（Ｂ）は、本発明に係る有機ＥＬ表示装置の製造方法における小型基板形成工程の説明図である。
【図６】（Ａ）、（Ｂ）、（Ｃ）は、本発明に係る有機ＥＬ表示装置の製造方法において小型基板に保護フィルムを貼った状態の説明図である。
【図７】（Ａ）、（Ｂ）、（Ｃ）は、本発明に係る有機ＥＬ表示装置の製造方法における貼り合わせ工程の説明図である。
【図８】（Ａ）、（Ｂ）は、本発明に係る有機ＥＬ表示装置の製造方法における有機機能層形成工程の説明図である。
【図９】本発明の実施の形態２に係る有機ＥＬ表示装置の断面図、および画素領域の１つ分の断面構造を拡大して示す断面図である。
【図１０】本発明の実施の形態３に係る有機ＥＬ表示装置の断面図、および画素領域の１つ分の断面構造を拡大して示す断面図である。
【図１１】本発明の実施の形態４に係る有機ＥＬ表示装置の断面図、および画素領域の１つ分の断面構造を拡大して示す断面図である。
【図１２】本発明の実施の形態５に係る有機ＥＬ表示装置の断面図、および画素領域の１つ分の断面構造を拡大して示す断面図である。
【図１３】（Ａ）、（Ｂ）は、本発明の実施の形態６に係る小型基板の斜視図、および画素領域の１つ分の断面構造を拡大して示す断面図である。
【図１４】（Ａ）、（Ｂ）、（Ｃ）、（Ｄ）は、本発明に係る基板の薄型化工程における研磨工程の工程断面図である。
【図１５】（Ａ）〜（Ｆ）は、本発明に係る有機ＥＬ表示装置の製造方法における基板の薄型化加工後の張り合わせ工程断面図である。
【図１６】（Ａ）、（Ｂ）は、本発明の実施の形態７に係る小型基板の斜視図、および画素領域の１つ分の断面構造を拡大して示す断面図である。
【図１７】（Ａ）〜（Ｅ）は、本発明に係る大型基板の薄型化工程における研磨工程の工程断面図である。
【図１８】（Ａ）〜（Ｄ）は、本発明に係る封止基板の切断工程とフレキシブル配線基板の取り付けを示す工程図である。
【図１９】本発明に係る別の有機ＥＬ表示装置の製造方法において小型基板に保護フィルムを貼った状態の説明図である。
【図２０】（Ａ）、（Ｂ）は、本発明に係るさらに別の有機ＥＬ表示装置の製造方法において小型基板に保護フィルムを貼った状態の説明図である。
【符号の説明】
【０１５１】
１  有機ＥＬ表示装置（電気光学装置）、２  小型基板（ＴＦＴアレイ基板）、３  大型基板、４  封止基板、６、７  保護フィルム、８  定盤、９  インクジェットヘッド、３５、３６  第１の基板間隔制御部材、４５、４６  第２の基板間隔制御部材、１０１  有機ＥＬ素子、１１０  発光機能層、１１１  画素電極、１２３、１２４  ＴＦＴ。
【図１】
2006047945.tif 000003
【図２】
2006047945.tif 000004
【図３】
2006047945.tif 000005
【図４】
2006047945.tif 000006
【図５】
2006047945.tif 000007
【図６】
2006047945.tif 000008
【図７】
2006047945.tif 000009
【図８】
2006047945.tif 000010
【図９】
2006047945.tif 000011
【図１０】
2006047945.tif 000012
【図１１】
2006047945.tif 000013
【図１２】
2006047945.tif 000014
【図１３】
2006047945.tif 000015
【図１４】
2006047945.tif 000016
【図１５】
2006047945.tif 000017
【図１６】
2006047945.tif 000018
【図１７】
2006047945.tif 000019
【図１８】
2006047945.tif 000020
【図１９】
2006047945.tif 000021
【図２０】
2006047945.tif 000022